(57)【要約】【課題】  メインパターンと補強パターンとの組み合わせに工夫を加えて、合わせ部での突っ張り感を解消し、柔軟な竿捌きを行うことのできる振出竿の合わせ部構造を提供する。【解決手段】  大径竿体２を構成するに、内側層として、竿の周方向に強化繊維ｃを引き揃え配置し竿の周方向に沿った幅を1プライ分の長さで第１メインパターン４Ａを配置する。外側層として、強化繊維ｃを交差させる状態で編み込んだ補強パターン５を竿先側に配置するとともに、竿軸線方向に強化繊維ｃを引き揃え配置した第２メインパターン４Ｂを補強パターン５より竿元側に配置して構成する。補強パターン５の強化繊維ｃの配設方向を竿軸線Ｘに対して交差する傾斜状態に設定してある。【選択図】        図２
2008011816.tif 000002
【特許請求の範囲】
【請求項１】
小径竿体の竿元側端部の外周面を大径竿体の竿先側端部の内周面に圧接させることによって、小径竿体を大径竿体に対して伸長状態に保持する振出竿の合わせ部構造であって、
竿の周方向に強化繊維を引き揃え配置したプリプレグシートを、竿の周方向に沿った幅を1プライ分の長さでかつ竿全長に亘る長さの第１メインパターンとして形成するとともに、強化繊維を交差させる状態で編み込んだプリプレグシートを、前記第１メインパターンより軸線方向に沿った長さの短い長さの補強パターンとして形成し、竿軸線方向に強化繊維を引き揃え配置したプリプレグシートを、前記第1メインパターンの竿軸線方向に沿った長さよりも短い長さの第２メインパターンとして形成し、
前記大径竿体を構成するに、内側層として前記第１メインパターンを配置し、外側層として、前記補強パターンを竿先側に配置するとともに、前記第２メインパターンを前記補強パターンより竿元側に配置して構成し、前記補強パターンの強化繊維の配設方向を竿軸線に対して交差する傾斜状態に設定してある振出竿の合わせ部構造。
【請求項２】
前記補強パターンの竿元側端部と前記第２メインパターンの竿先側端部とを重ね合わせて配置してある請求項１記載の振出竿の合わせ部構造。
【請求項３】
第１メインパターンをマンドレルに巻回するとともに、その上から第２メインパターンと補強パターンとを巻回して竿素材を構成し、この竿素材に成形用テープを螺旋状に巻回して焼成し、焼成後成形用テープを剥離し、研磨処理を施して前記大径竿体を形成する請求項１または２記載の振出竿の製造方法。
【請求項４】
前記補強パターンの竿元側端部を、竿元側程、竿の周方向に沿った幅が狭くなる延長部分に形成し、前記補強パターンの前記延長部分を前記第２メインパターンの竿先側端部の外周面に重ね配置してある請求項３記載の振出竿の合わせ部構造。
【発明の詳細な説明】
【技術分野】
【０００１】
本発明は、小径竿体の竿元側端部の外周面を大径竿体の竿先側端部の内周面に圧接させることによって、小径竿体を大径竿体に対して伸長状態に保持する振出竿の合わせ部構造に関する。
【背景技術】
【０００２】
大径竿体を構成するに、軸線方向に沿った又は周方向に沿った強化繊維を引き揃え配置したプリプレグシートを竿全長に亘る長さに形成したメインパターンと前記メインパターンより軸線方向に沿った長さの短い長さに形成した補強パターンとを重ね合わせて構成してあった（特許文献１参照）。
【０００３】
【特許文献１】特開２００５−２４５４６８号公報（段落番号〔００１３〕〜〔００１５〕、及び、図１）
【発明の開示】
【発明が解決しようとする課題】
【０００４】
上記構成においては、大径竿体の竿先側端部において複数層に亘って重ね合わされたメインパターンを補強パターンに重ね合わせる状態で、大径竿体側の合わせ部を構成している。その為に、この合わせ部が剛性の高いものとなり過ぎており、合わせ部が曲がり難く突っ張りを生じて、合わせ部以外の竿の曲がりと合わせ部での曲がりが円滑に繋がらない状態となり、針掛かりした魚の動きに対応した柔軟な竿捌きが出来にくいものであった。
【０００５】
本発明の目的は、メインパターンと補強パターンとの組み合わせに工夫を加えて、合わせ部での突っ張り感を解消し、柔軟な竿捌きを行うことのできる振出竿の合わせ部構造を提供する点にある。
【課題を解決するための手段】
【０００６】
〔構成〕
請求項１に係る発明の特徴構成は、竿の周方向に強化繊維を引き揃え配置したプリプレグシートを、竿の周方向に沿った幅を1プライ分の長さでかつ竿全長に亘る長さの第１メインパターンとして形成するとともに、強化繊維を交差させる状態で編み込んだプリプレグシートを、前記第１メインパターンより軸線方向に沿った長さの短い長さの補強パターンとして形成し、竿軸線方向に強化繊維を引き揃え配置したプリプレグシートを、前記第1メインパターンの竿軸線方向に沿った長さよりも短い長さの第２メインパターンとして形成し、
前記大径竿体を構成するに、内側層として前記第１メインパターンを配置し、外側層として、前記補強パターンを竿先側に配置するとともに、前記第２メインパターンを前記補強パターンより竿元側に配置して構成し、前記補強パターンの強化繊維の配設方向を竿軸線に対して交差する傾斜状態に設定してある点にあり、その作用効果は次の通りである。
【０００７】
〔作用〕
つまり、内側層に１プライ分の第１メインパターンを配置してはあるが、２層目における合わせ部相当位置に補強パターンだけを配置してあるので、従来のように、補強パターンの上に複数プライ分のメインパターンを配置するものに比べて、メインパターンの巻回数を減らすことができる。
しかも、補強パターンは強化繊維の配設方向が竿軸線方向に対して交差する傾斜状態に設定してあるので、竿自体の剛性を低下させることに機能している。つまり、魚が針掛かりした場合に、釣り竿に曲げモーメントが作用し竿の断面に軸線方向に沿った引張力が作用するが、強化繊維を軸線方向に配置した場合に最もその引張力に対する対抗力が高くなる。一方、本発明のように、軸線方向に対して傾斜する状態に配置した場合には、軸線方向の分力で対抗することになるので、対抗力が低く、それだけ、剛性が低下するものとなる。
【０００８】
〔効果〕
これによって、補強パターンを主な構成要素として、竿先側端部の強度構成を構築するので、メインパターンを複数層に重ね合わせる必要はない。また、その補強パターンの強化繊維の配設方向を竿軸線方向に対して傾斜する状態に設定することと相俟って、剛性を低下でき、合わせ部での突っ張り感を解消して、柔軟な竿捌きを行うことのできる振出竿の合わせ部構造を提供することができるようになった。
【０００９】
請求項２に係る発明の特徴構成は、請求項１に係る発明において、前記補強パターンの竿元側端部と前記第２メインパターンの竿先側端部とを重ね合わせて配置してある点にあり、その作用効果は次の通りである。
【００１０】
〔作用効果〕
つまり、補強パターンの竿元側端部と前記第２メインパターンの竿先側端部とを重ね合わせることによって、補強パターンと第２メインパターンとを隣接状態で配置する場合に比べて、補強パターンを構成する強化繊維と第２メインパターンを構成する強化繊維とが焼成時に混在することとなり繋がりができるところから、補強パターンと第２メインパターンとの連結状態を強固にできる。
【００１１】
請求項３に係る発明の特徴構成は、請求項１又は２に係る発明において、第１メインパターンをマンドレルに巻回するとともに、その上から第２メインパターンと補強パターンとを巻回して竿素材を構成し、この竿素材に成形用テープを螺旋状に巻回して焼成し、焼成後成形用テープを剥離し、研磨処理を施して前記大径竿体を形成する点にあり、その作用効果は次の通りである。
【００１２】
〔作用効果〕
第２メインパターンと補強パターンとを巻回する際に、周方向に強化繊維を引き揃えた第１メインパターンを内側に配置してあるので、補強パターンを直接マンドレルに巻回しその上からメインパターンを巻回する場合に比べて、補強パターンと第２メインパターンとの接合状態を安定したものにできる。
【００１３】
請求項４に係る発明の特徴構成は、請求項３に係る発明において、前記補強パターンの竿尻側端部を、竿尻側程、竿の周方向に沿った幅が狭くなる延長部分に形成し、前記補強パターンの前記延長部分を前記第２メインパターンの竿先側端部の外周面に重ね配置してある点にあり、その作用効果は次の通りである。
【００１４】
〔作用効果〕
補強パターンを第２メインパターンに重ね合わせる部分は、竿尻側程、竿の周方向に沿った幅が狭くなる延長部分であるので、竿の周方向に沿った幅が一定のものを重ね合わせる場合に比べて、重なりによる剛性の増加を抑えることができる。
しかも、延長部分は、竿尻側程、竿の周方向に沿った幅が狭くなる状態に形成してあるので、請求項３に係る発明において記載してあるように、成形用テープを螺旋状に巻回して行く際に、その成形用テープを延長部分の斜辺（２メインパターンに隣接する側辺）に沿った状態で螺旋状に巻回できる。これによって、延長部分の第２メインパターンに隣接する側辺を竿の周方向に平行な辺に形成し、その周方向に平行な辺に対して成形用テープを螺旋状に巻回していく場合に起こり易い、成形テープの螺旋ピッチの乱れ、及び、皺寄りの発生等を抑制することができる。
【発明を実施するための最良の形態】
【００１５】
〔第１実施形態〕
振出竿の合わせ部構造について説明する。図１に示すように、小径竿体１の竿元側端部１Ａの外周面を大径竿体２の竿先側端部２Ａの内周面に圧接させることによって、小径竿体１を大径竿体２に対して伸長状態に保持する振出竿の合わせ部構造を構成してある。
【００１６】
大径竿体２の製造工程について説明する。図２に示すように、マンドレル３に第１メインパターン４Ａを巻回する。第１メインパターン４Ａは次ぎのように構成されている。
【００１７】
第１メインパターン４Ａは、炭素繊維等の強化繊維ｃを一方向に引き揃えた繊維群にエポキシ等の熱硬化性樹脂を含浸させて形成したプリプレグシートを、所定形状に裁断して形成されたものである。
第１メインパターン４Ａは、図２に示すように、強化繊維ｃを竿の周方向に引き揃えたもので、竿の周方向に沿った幅Ｗ１を１プライ分の幅に裁断してあり、軸線に沿った方向での長さＬ１は、大径竿体２の全長に裁断代を加えた長さである。
以上のような形状を呈する第１メインパターン４Ａを巻回して最内層とする。
【００１８】
次に、第２メインパターン４Ｂを巻回する。図２に示すように、第２メインパターン４Ｂは、第１メインパターン４Ａと同様に、炭素繊維等の強化繊維ｃを一方向に引き揃えた繊維群にエポキシ等の熱硬化性樹脂を含浸させてプリプレグシートを形成し、そのプリプレグシートを所定形状に裁断して形成されたものである。
【００１９】
第２メインパターン４Ｂは、図２に示すように、強化繊維ｃを竿の軸線方向に引き揃えたもので、竿の周方向に沿った幅Ｗ１を１プライ分の幅に裁断してあり、軸線に沿った方向での長さＬ２は、大径竿体２の全長より短い長さに裁断されている。第２メインパターン４Ｂの厚さは、第１メインパターン４Ａの厚さの２倍以上あるものとする。
以上のような形状を呈する第２メインパターン４Ｂを、その第２メインパターン４Ｂの竿元端を第1メインパターン４Ａの竿元端に一致させた状態で巻回して第２層とする。
【００２０】
尚、第２メインパターン４Ｂの竿先端側の形状は、略三角形状の延長部分４ａとなっている。つまり、延長部分４ａは、第２メインパターン４Ｂにおける巻始辺４ｂの竿先側端ａより巻終辺４ｃの竿先側端ｂを竿先側に張出す状態で斜辺４ｄを形成して、三角形状を呈している。
【００２１】
次に、補強パターン５について説明する。図２に示すように、補強パターン５は、ガラス繊維等の強化繊維ｃを交差させる状態で編み込んだ強化繊維群に対してエポキシ等の熱硬化性樹脂を含浸させて形成したプリプレグシートを裁断して形成される。
【００２２】
補強パターン５の竿周方向に沿った幅Ｗ１は１プライ分の長さに裁断してあり、補強パターン５の竿元端側の形状は、略三角形状の延長部分５ａとなっている。つまり、延長部分５ａは、補強パターン５における巻始辺５ｂの竿元側端ｄより巻終辺５ｃの竿元側端ｅを竿先側に位置する状態で斜辺５ｄを形成して、三角形状を呈している。
【００２３】
以上のような形状になる補強パターン５を、図１及び図２に示すように、その補強パターン５の竿先側端辺５ｅが第１メインパターン４Ａの竿先側端辺４ｅに一致する状態で巻回する。
これによって、補強パターン５の延長部分５ａが第２メインパターン４Ｂの延長部分４ａに重ね合わせる状態に巻回されている。
【００２４】
ここで、第２メインパターン４Ｂのシート厚さは０．１３ｍｍ〜０．１５ｍｍであり、補強パターン３のシート厚みは、０．２ｍｍ〜０．３ｍｍであり、望ましくは、０．２５ｍｍに設定される。
このように、第２メインパターン４Ｂと補強パターン３との厚みが異なるのは、ひとつには、第２メインパターン４Ｂでは強化繊維ｃが引き揃え状態にあるが、補強パターン５では強化繊維ｃが交差する状態で編み込まれていることによる。
【００２５】
ここに、補強パターンとして、強化繊維ｃを交差する状態で編み込み、かつ、強化繊維ｃの配設方向を竿の軸線Ｘに対して傾斜する状態に配置してあるので、竿自体の剛性を低下させることに機能している。ここでの傾斜角度θは、１５°〜７５°の間が適当である。
【００２６】
釣り竿に対して軸線Ｘに直交する方向から荷重が作用する場合には、竿の周方向に強化繊維ｃを配置すると、その荷重に対する対抗力が高い。これに対して、本発明のように、軸線Ｘ方向に対して傾斜する状態に配置した場合には、軸線Ｘ方向に直交する方向での分力で対抗することになるので、対抗力が低く、それだけ、剛性が低下するものとなる。
【００２７】
しかも、補強パターン５の強化繊維ｃとしてガラス繊維を使用しているので、ガラス繊維自体は柔軟性に富むものである為に、剛性を低下させるものである。
勿論、炭素繊維であっても、弾性率の低いものであればよい。例えば、１０ＴＯＮ／ｍｍ２位の低弾性率の炭素繊維であればよい。
【００２８】
〔第２実施形態〕
ここでは、図４に示すように、補強パターン６を巻回した状態で、第２メインパターン４Ｂに重ね合わせた部分に段差ができないものを提示する。図３に示すように、補強パターン６として、第１実施形態の補強パターン５と同様に延長部分６ａを有する相似形状のものを使用するが、竿の周方向に沿った幅Ｗ２は、２プライ分の幅とする。この第２実施形態では、補強パターン６の厚みは第２メインパターン４Ｂの厚みと同じものとする。
【００２９】
第１実施形態の場合と同様に、第１メインパターン４Ａを１プライ分巻回した後に、第２メインパターン４Ｂを１プライ分巻回する。次に、第２メインパターン４Ｂの竿先側で隣接する状態に補強パターン６を２プライ分巻回する。補強パターン６を１プライ分巻回すると、補強パターン６の斜辺６Ａが先に巻回されている第２メインパターン４Ｂの竿先端に接触する状態で巻回される。
【００３０】
補強パターン６を１プライ分巻回した後、更に、もう１プライ分巻回すると、補強パターン６の竿先側部分は先に巻回されている１プライ目の部分に重ねて巻回されるとともに、竿元側に位置する延長部分６ａは第２メインパターン４Ｂの竿先側端部の外周面に重ねられる。これによって、図４に示すように、補強パターン６の外周面は段差の無い状態になる。
【００３１】
〔別実施形態〕
（１）  補強パターン５，６として、強化繊維ｃを交差させる状態で編み込んだプリプレグシートを裁断して使用する形態を示したが、バイアス方式の補強パターン７を使用してもよい。つまり、図５に示すように、竿軸線Ｘに対して傾斜角θで傾斜する方向に引き揃えた強化繊維ｃ群に対して熱硬化性樹脂を含浸させて形成した第１プリプレグシート７Ａと、竿軸線Ｘを挟んで前記傾斜角θと反対方向に傾斜させた強化繊維ｃ群に対して熱硬化性樹脂を含浸させて形成した第２プリプレグシート７Ｂとを重ね合わせて使用する補強パターン７を採用してもよい。
（２）  前記実施形態においては、図２に示すように、補強パターン５の竿元側端部に形成した延長部分５ａを第２メインフレーム４Ｂの竿先側端部に形成した延長部分４ａに重ね合わせる構成を採っているが、反対に、第２メインフレーム４Ｂの竿先側端部に形成した延長部分４ａを補強パターン５の竿元側端部に形成した延長部分５ａに重ね合わせる構成としてもよい。
【図面の簡単な説明】
【００３２】
【図１】大径竿体と小径竿体との合わせ部構造を示す縦断側面図
【図２】図１における大径竿体を形成するパターンを示し、第１メインパターン、補強パターン、第２メインパターンをマンドレルに巻回する前の状態を示す平面図
【図３】図２における補強パターンとは異なる補強パターン使用する図４における大径竿体を形成するパターンを示し、第１メインパターン、補強パターン、第２メインパターンをマンドレルに巻回する前の状態を示す平面図
【図４】大径竿体と小径竿体との合わせ部の別実施構造を示す縦断側面図
【図５】バイアス方式の補強パターンを示す平面図
【符号の説明】
【００３３】
１            小径竿体
１Ａ          竿元側端部
２            大径竿体
２Ａ          竿先側端部
３            マンドレル
４Ａ          第１メインパターン
４Ｂ          第２メインパターン
５，６，７    補強パターン
ｃ            強化繊維
Ｗ１、Ｗ２    幅
Ｘ            竿軸芯
θ            傾斜角
【図１】
2008011816.tif 000003
【図２】
2008011816.tif 000004
【図３】
2008011816.tif 000005
【図４】
2008011816.tif 000006
【図５】
2008011816.tif 000007